(57)【要約】【課題】  釣り場を移動する際に、釣り竿を携行する場合に、釣り竿自体に対する傷付き防止を図ることのできる保護具を提供する。【解決手段】  インロー芯５Ａを差込み嵌合保持する保持孔部６Ａと、インロー芯５Ａと嵌合する嵌合孔部２Ａ内に差込嵌合される保持ロッド部６Ｂとを形成するに、一箇所に保持孔部６Ａを形成するとともに、保持孔部６Ａと保持ロッド部６Ｂとのいずれか一方を選択して、その選択した保持孔部６Ａか又は保持ロッド部６Ｂとの一方を他の箇所に形成するように構成してある。【選択図】        図１
2007097544.tif 000002
【特許請求の範囲】
【請求項１】
一方の竿体に形成された接続突部と、他方の竿体に形成され前記接続突部を嵌合する接続孔部とでインロー式または並継式の接続分離機構を構成するとともに、前記接続分離機構の接続突部又は前記接続孔部を形成した竿体の端部を差込み嵌合保持する保持孔部と、前記接続分離機構の接続孔部内に差込嵌合される保持ロッド部とを複数箇所に形成すべく構成し、前記複数箇所のうち少なくとも一箇所には、前記保持孔部を形成するように構成してある釣り竿の保護具。
【請求項２】
前記接続突部を差込み嵌合保持する第１保持孔部と、前記接続孔部を形成した竿体の端部を差込み嵌合保持する第２保持孔部とを、互いに平行となるように形成してある釣り竿の保護具。
【請求項３】
前記保持孔部を形成した筒部と前記保持ロッド部とを平行する状態でかつ同じ方向に向けて片持ち状態で延出している請求項１記載の釣り竿の保護具。
【請求項４】
複数の竿体を、各竿体の竿端に形成した接続突部と前記接続突部を嵌合保持する接続孔部とからなるインロー式接続分離機構又は並継式接続分離機構によって連結分離自在に構成する釣り竿であって、前記各竿体を分離した状態で前記インロー式接続分離機構部位または並継式接続分離構部位を保護する保護具を備えるとともに、前記保護具における複数箇所に、前記接続分離機構の接続突部又は前記接続孔部を形成した竿体の端部を差込み嵌合保持する保持孔部と、前記接続分離機構の接続孔部内に差込嵌合される保持ロッド部とを形成すべく構成し、前記複数箇所のうち少なくとも一箇所には、前記保持孔部を形成するように構成してある釣り竿。
【発明の詳細な説明】
【技術分野】
【０００１】
本発明は、インロー式または並継式の接続分離機構を備えている釣り竿に関する。
【背景技術】
【０００２】
この種の釣り竿においては、竿体の端部に形成した接続突部と相手側竿体の端部に形成した接続孔部とを互いに係合させることによって、複数本の竿体同士をインロー式または並継式に接続する接続分離機構を構成している（特許文献１参照）。
【０００３】
【特許文献１】特許第３５２３９８２号公報（段落番号〔０００７〕、及び、図１,図２）
【発明の開示】
【発明が解決しようとする課題】
【０００４】
この種の釣り竿では、接続分離機構を介して竿体同士を接続連結した状態で釣り操作に供されるものであるので、接続状態を如何に強固に維持できるかという点に発明の主眼があり、釣りを終えて仕舞い処理する場合に、どのようにすれば良いかと言う点からの発明はなかった。
つまり、接続状態を解除して分離した竿体同士を、釣り場を移動する際に、単に収納袋等に収納して移動する場合には、竿体同士は接触することによって、傷付けられるという虞があった。
また、接続分離機構を構成する部分は接続状態を強固に維持する為に、精密な加工を受けている部分でもあるが、その部分が携行中において竿体の他の部分と接触して損傷、変形等を受けると、接続状態が緩み易いものとなったり、牽いては、接続できないといった虞もある。
【０００５】
本発明の目的は、釣り場を移動する際に、釣り竿を携行する場合に、釣り竿自体に対する傷付き防止を図ることのできるものを提供する点にある。
【課題を解決するための手段】
【０００６】
〔構成〕
請求項１に係る発明の特徴構成は、一方の竿体に形成された接続突部と、他方の竿体に形成され前記接続突部を嵌合する接続孔部とでインロー式または並継式の接続分離機構を構成するとともに、前記接続分離機構の接続突部又は前記接続孔部を形成した竿体の端部を差込み嵌合保持する保持孔部と、前記接続分離機構の接続孔部内に差込嵌合される保持ロッド部とを複数箇所に形成すべく構成し、前記複数箇所のうち少なくとも一箇所には、前記保持孔部を形成するように構成してある点にあり、その作用効果は次の通りである。
【０００７】
〔作用〕
つまり、接続分離機構を構成する一方の竿体の端部に形成された接続突部と他方の竿体の端部に形成されている接続孔部との接続を解除する際には、保護具に形成された保持孔部に前記接続突部を嵌入させ、保護具に形成された保持ロッド部を他方の竿体に形成した嵌合孔部に嵌入させる。
このことによって、分離された竿体同士を纏めた状態で仕舞い処理できるとともに、接続分離機構を構成する接続突部と接続孔部を保護することができるのである。
一方、保持孔部に対しては、接続孔部を形成した竿体の端部を差込み装着することもできる。
特に、保護具に形成するもののうち少なくとも一つが保持孔部であるので、外面側に相手側面との精密な嵌合面を形成している接続突部や、竿体の端部に形成した接続孔部の嵌合面を覆い隠すことができ、その嵌合面を保護する機能が高い。
【０００８】
〔効果〕
したがって、釣り竿を携行して釣り場を移動する際に、釣り竿同士が接触して傷付け合うことを抑制できるとともに、接続分離機構が傷んで接続状態の不良を生じることを阻止できる。
【０００９】
請求項２に係る発明の特徴構成は、前記接続突部を差込み嵌合保持する第１保持孔部と、前記接続孔部を形成した竿体の端部を差込み嵌合保持する第２保持孔部とを、互いに平行となるように形成してある点にあり、その作用効果は次の通りである。
【００１０】
〔作用効果〕
ここでは、接続突部のみならず、前記接続孔部を形成している竿体の端部についても、保持孔部に嵌合させて保護することとした。したがって、保持孔部と保持ロッド部とを形成する場合に比べて、保護具の構造が簡素化されたものとなる。
【００１１】
請求項３に係る発明の特徴構成は、請求項１に係る発明において、前記保持孔部を形成した筒部と前記保持ロッド部とを平行する状態でかつ同じ方向に向けて片持ち状態で延出している点にあり、その作用効果は次の通りである。
【００１２】
〔作用効果〕
つまり、筒部と保持ロッド部とを平行する状態でかつ同方向に延出してあるので、保持孔部と保持ロッド部に保持される竿体を平行な状態に仕舞い処理でき、仕舞い状態をコンパクトにでき、釣り場へ携行する際にも持ち運びが容易になる。
【００１３】
請求項４に係る発明の特徴構成は、複数の竿体を、各竿体の竿端に形成した接続突部と前記接続突部を嵌合保持する接続孔部とからなるインロー式接続分離機構又は並継式接続分離機構によって連結分離自在に構成する釣り竿であって、前記各竿体を分離した状態で前記インロー式接続分離機構部位または並継式接続分離構部位を保護する保護具を備えるとともに、前記保護具における複数箇所に、前記接続分離機構の接続突部又は前記接続孔部を形成した竿体の端部を差込み嵌合保持する保持孔部と、前記接続分離機構の接続孔部内に差込嵌合される保持ロッド部とを形成すべく構成し、前記複数箇所のうち少なくとも一箇所には、前記保持孔部を形成するように構成してある点にあり、その作用効果は次の通りである。
【００１４】
〔作用効果〕
このような保持具を装備した釣り竿においては、釣り終了後の仕舞い処理が釣り竿を傷付けることなく行い易いところから、長期に亘る不使用時にも、釣り竿が傷つくことに対して大きな注意を払う必要が少ない。
【発明を実施するための最良の形態】
【００１５】
〔第１実施形態〕
ルアー竿Ａで説明する。図１に示すように、ルアー竿Ａは、複数の釣り糸ガイド１を備えた一番竿２と、リールシート３とリアーグリップ４とを備えた二番竿５とを、インロー式の接続分離機構Ｂによって接続分離自在に構成されている。
【００１６】
二番竿５の竿先端部には、接続分離機構Ｂの雄側部分を構成する接続突部としてのインロー芯５Ａが突設されるとともに、一番竿２の竿尻端部には、インロー芯５Ａを嵌入する嵌合孔部２Ａを形成してあり、インロー芯５Ａと嵌合孔部２Ａとでインロー式の接続分離機構Ｂを構成し、一番竿２と二番竿５とを連結分離自在に構成してある。
一番竿２と二番竿５とを竿体と称する。
【００１７】
一番竿２と二番竿５を分離した状態でインロー式接続分離機構部位または並継式分離機構部位を保護する保護具６について説明する。図２及び図３に示すように、インロー式接続分離機構Ｂのインロー芯５Ａを差込み嵌合保持する保持孔部６Ａと、接続分離機構Ｂの嵌合孔部２Ａに差込嵌合される保持ロッド部６Ｂとを形成する。
保持孔部６Ａを形成した筒部６Ｃと保持ロッド部６Ｂとを、基端部６Ｄより平行にかつ同方向に片持ち状に延出してあり、保持ロッド部６Ｂと筒部６Ｃとの開口とが略同一位置に設けられている。
【００１８】
以上のような構成になる保護具６は、ＮＢＲ等のゴムや軟質性樹脂で構成されている。図２及び図３に示すように、一番竿２と二番竿５とを分離して、一番竿２を反転させて二番竿５に平行に位置させて、一番竿２の竿尻端の嵌合孔部２Ａを保護具６の保持ロッド部６Ｂに被せ、二番竿５のインロー芯５Ａを保護具６の保持孔部６Ａ内に嵌入させて、保護具６を装着することができる。
このように保護具６によって接続分離機構Ｂを保護することができるので、釣り場への携行時に有効である。
【００１９】
保持ロッド部６Ｂを有していない異なる保護具７について説明する。図８（イ）（ロ）に示すように、保護具７はブロック状のものに形成されており、このブロック状の本体部分７Ｃの二箇所に、平行な貫通孔が形成されており、この貫通孔を第１、第２保持孔部７Ａ、７Ｂとする。
図８に示すように、保護具７における第１保持孔部７Ａは、インロー式の接続分離機構Ｂのインロー芯５Ａを差込み嵌合保持するように構成されており、第２保持孔部７Ａは、インロー式の接続分離機構Ｂの嵌合孔部２Ａを形成している一番竿２の端部２Ｂを差込み嵌合保持するように構成されている。
【００２０】
〔第２実施形態〕
ヘラ竿Ｃに適用したものを説明する。図４（イ）、（ロ）に示すように、ヘラ竿Ｃは、竿先端に釣り糸連結用の回りリリアン８を取り付けた一番竿９と、二番竿１０を挟んで竿尻端側に、紡錘型の握り部１１Ａを備えた三番竿１１とを配置して構成してある。各竿は並継式に連結分離可能に構成してあり、一番竿９の竿尻端に接続突部としての細径嵌入部９Ａを形成するとともに、二番竿１０の竿先端に接続孔部としての嵌合孔部１０Ｂを形成し、並継式の接続分離機構を構成する。二番竿１０の竿尻端に接続孔部としての細径嵌入部１０Ａを形成するとともに、三番竿１１の竿先端に接続孔部としての嵌合孔部１１Ｂを形成し、並継式の接続分離機構を構成する。
【００２１】
上記のような接続分離機構に対して保護具１２を装備してある。図４及び図５（イ）（ロ）に示すように、保護具１２は、基端部１２Ａより二つの保持ロッド部１２Ｂ、１２Ｃと保持孔部１２Ｄを形成した筒部１２Ｅとを１方向に延出して、構成してある。保持ロッド部１２Ｂ、１２Ｃは二番竿１０の竿先端の嵌合孔部１０Ｂ内と三番竿１１の竿先端の嵌合孔部１１Ｂ内に嵌入し、保持孔部１２Ｄは一番竿９の竿尻端の細径嵌入部９Ａに外嵌される。このように、分離した各竿体９，１０，１１の接続分離機構を保護具１２で保護することができる。
【００２２】
〔第３実施形態〕
石鯛竿Ｄに適用したものを説明する。図６に示すように、石鯛竿Ｄは、釣り糸ガイド１３を設ける一番竿１４と、二番竿１５、三番竿１６、リールシート１７Ａと竿尻端に石突き１７Ｂを備えた四番竿１７とで構成してある。各竿はインロー式に連結分離可能に構成してあり、一番竿１４の竿尻端に嵌合孔部１４Ａを形成するとともに、二番竿１５の竿先端にインロー芯１５Ｂを形成し、二番竿１５の竿尻端に嵌合孔部１５Ａを形成するとともに、三番竿１６の竿先端にインロー芯１６Ｂを形成し、三番竿１６の竿尻端に嵌合孔部１６Ａを形成するとともに、四番竿１７の竿先端にインロー芯１７Ｃを形成し、インロー継式の接続分離機構Ｂを構成する。
【００２３】
上記のような接続分離機構に対して保護具１８を装備してある。図７（イ）（ロ）に示すように、保護具１８は、基端部１８Ａより一つの保持ロッド部１８Ｂと、３つの保持孔部１８Ｃ、１８Ｄ、１８Ｅを形成した筒部とを１方向に延出して、構成してある。保持ロッド部１８Ｂは一番竿１４の竿尻端の嵌合孔部１４Ａ内に嵌入し、第１保持孔部１８Ｃは二番竿１５の竿先端のインロー芯１５Ｂ、第２保持孔部１８Ｄは三番竿１６の竿先端のインロー芯１６Ｂ、第３保持孔部１８Ｅは四番竿１７の竿先端のインロー芯１７Ｃに外嵌される。このように、保護具１８で分離した各竿体１４，１５，１６の接続分離機構Ｂを保護することができる。
【００２４】
〔別実施形態〕
（１）  保護具６、１２，１８としては、少なくとも保持孔部６Ａ等を、必ず設ける必要があるが、保持ロッド部６Ｂ等としては、必ずしも、設ける必要はない。
（２）  本願発明は、上記以外の磯竿等のインロー継、又は、並継竿に適用できる。
【図面の簡単な説明】
【００２５】
【図１】（イ）はルアー竿を示す全体側面図、（ロ）は一番竿と二番竿とを分離して、保持具を取り付けた状態を示す縦断側面図
【図２】ルアー竿を一番竿と二番竿とに分離し、保護具を取り付ける前の状態を示す斜視図
【図３】（イ）は一番竿の竿尻端に設けた嵌合孔部と二番竿の竿先端に設けたインロー芯とに対して保護具を装着する前の状態を示す縦断側面図、（ロ）は保護具を取り付けた状態を示す縦断側面図
【図４】（イ）はヘラ竿を示す全体側面図、（ロ）は一番竿と二番竿とを分離して、保持具を取り付けた状態を示す縦断側面図
【図５】（イ）は一番竿の竿尻端に設けた嵌合孔部を形成したその竿端と、二番竿の竿尻端に設けた嵌合孔部を形成したその竿端と、三番竿の竿先端に形成した嵌合孔部に対して保護具を装着する前の状態を示す縦断側面図、（ロ）は保護具を取り付けた状態を示す縦断側面図
【図６】（イ）は石鯛竿を示す分解側面図、（ロ）は一番竿の竿尻端に設けた嵌合孔部を保持ロッド部に嵌合し、第１保持孔部に二番竿の竿先端のインロー芯を嵌合し、第２保持孔部に三番竿の竿先端のインロー芯を嵌合し、第３保持孔部に四番竿の竿先端のインロー芯を嵌合させる状態を示す縦断側面図、（ロ）は石鯛竿を分解して保護具を装着した状態を示す側面図
【図７】（イ）は分解した石鯛竿を保護具に取り付ける前の状態を示す縦断側面図、（ロ）は石鯛竿における、一番竿の竿尻端に設けた嵌合孔部を保護具の保持ロッド部に嵌合し、保護具の第１保持孔部に二番竿の竿先端のインロー芯を嵌合し、保護具の第２保持孔部に三番竿の竿先端のインロー芯を嵌合し、第３保持孔部に四番竿の竿先端のインロー芯を嵌合させる状態を示す縦断側面図
【図８】図２に記載した保護具に対する別実施構造を示すもので、保護具に二つの保持孔部だけを形成した状態を示す縦断側面図
【符号の説明】
【００２６】
２，５、９〜１１、１４〜１７                              竿体
２Ａ、１０Ｂ、１４Ａ、１５Ａ、１６Ａ                      接続孔部
５Ａ、５Ｂ、９Ａ、１０Ａ、１５Ｂ、１６Ｂ、１７Ｃ          接続突部
６、７、１２、１８                                        保護具
６Ａ、１２Ｄ、１８Ｃ〜１８Ｅ                              保持孔部
６Ｂ、１２Ｂ、１２Ｃ、１８Ｂ                              保持ロッド部
６Ｃ、１２Ｅ、                                            筒部
７Ａ                                                      第１保持孔部
７Ｂ                                                      第２保持孔部
Ｂ                                                        接続分離機構
【図１】
2007097544.tif 000003
【図２】
2007097544.tif 000004
【図３】
2007097544.tif 000005
【図４】
2007097544.tif 000006
【図５】
2007097544.tif 000007
【図６】
2007097544.tif 000008
【図７】
2007097544.tif 000009
【図８】
2007097544.tif 000010